(57)【要約】【課題】本発明は、マーカーによるインキが消し難い筆記面を有する電子黒板装置やホワイトボードなどにおいて、消去性の向上したイレイサーを提供することを目的としている。【解決手段】本発明は、上記課題を解決するため、本体ケースと、直線的に設けられた複数の凸部を有し、この凸部を露出して前記本体ケース内に配置される内部ケース体と、この内部ケースの凸部を覆うように配置されるメラミンフォームシートとを有することを特徴としている。【選択図】図１
2008273156.tif 000002
【特許請求の範囲】
【請求項１】
筆記面にマーカーによって筆記された画像を拭き取るイレイサーにおいて、本体ケースと、直線的に設けられた複数の凸部を有し、この凸部を露出して前記本体ケース内に配置される内部ケース体と、この内部ケース体の凸部を覆うように配置されるメラミンフォームシートを有することを特徴とするイレイサー。
【請求項２】
前記内部ケース体の複数の凸部は、夫々が同一の高さの平面を構成し、かつ中央付近の凸部はより高く形成され、両端付近の凸部はより低く形成され、ケース体の長手方向に垂直な方向から見て略湾曲面を構成することを特徴とする請求項１項記載のイレイサー。
【請求項３】
前記メラミンフォームシートは前記本体ケースと前記内部ケース体との間に、着脱可能に配置されることを特徴とする請求項１項記載のイレイサー。
【請求項４】
前記本体ケースと前記内部ケース体とは、前記メラミンフォームシートを挟み込んだ状態で、着脱可能に係合するフック部を有することを特徴とする請求項１項記載のイレイサー。
【発明の詳細な説明】
【技術分野】
【０００１】本発明は、会議などで用いられる電子黒板装置やホワイトボードに使用するイレイサーに関するものである。
【背景技術】
【０００２】電子黒板装置は、白色の書込みシートに、マーカーで文字や図形を記入すると共に、この記入した表面を光学センサーにて画像情報として読み取り、読み取った画像情報を縮小して紙に印刷し、或いは記録する機能を有することを特徴としている。また、ホワイトボードは、マーカーによって筆記する白色の筆記面を有しているが、読取装置を有さない装置である。【０００３】これらの装置は、会議など用いられるものであり、マーカーによる筆記と消去が即座に行えるように、書き込みシートや筆記ボードは、マーカーによる筆記が確実に行えると共に、筆記面のインキがイレイサーによって容易に除去できるように、ＵＶ硬化型ハードコート加工が施され、光沢のある表面とされている。【０００４】
【特許文献１】特開２００１−４７７９４号
【特許文献１】特開２００３−２１１８９５号
【発明の開示】
【発明が解決しようとする課題】
【０００５】電子黒板装置を用いて議事録を作成しながら行う会議において、プロジェクタ装置が併用して用いられることがある。
例えば、パソコンで作成した書面の画像を、拡大して投影し参照すると共に、会議の議事録を電子黒板に筆記しながら会議を進行するような利用がされる。
このような会議の場合、従来は、プロジェクタ装置は専用の投影スクリーンに画像を投影し、議事録などの筆記は、マーカーを用いて電子黒板或いはホワイトボードに行われている。【０００６】これに対して、電子黒板装置の筆記面に、プロジェクタ画像を投影し、プロジェクタ画像と筆記画像を合成して保存、或いは印刷する技術が古くから検討されている。
しかしながら、従来の電子黒板装置の筆記面は、先に説明したとおり、筆記性、消去性を優先させるため、光沢のある面で構成されており、プロジェクタ装置からの投影光が志向性を持って強く反射され、投影画像が見にくいという問題があった。【０００７】この問題を解決する手段として、電子黒板装置の筆記シートを光沢を持たないマット調のものとすることが考えられている。
しかしながら、このようなスクリーンでは、マーカーによる筆記が、イレイサーによって消し難いという問題があった。
【課題を解決するための手段】
【０００８】上記課題を解決するため、本発明は、筆記面にマーカーによって筆記された画像を拭き取るイレイサーにおいて、本体ケースと、直線的に設けられた複数の凸部を有し、この凸部を露出して前記本体ケース内に配置される内部ケース体と、この内部ケースの凸部を覆うように配置されるメラミンフォームシートとを有することを特徴としている。【０００９】また、メラミンフォームシートが、着脱可能に本体ケースと内部ケース体とで挟み込まれて固定される構造を有することを特徴としている。
【発明の効果】
【００１０】本発明によれば、例えば、マーカーで消し難い筆記面でも、容易にマーカの筆記を消去できるという効果を有する。
【発明を実施するための最良の形態】
【００１１】以下、本発明を実施するための最良の形態について、図面を参照して詳細に説明する。
【実施例】
【００１２】以下、図に沿って本発明の一実施例を説明する。
図１は本発明の一実施例を示す正面断面図である。
１は本体ケース、２は内部ケース体、３はメラミンフォームシートである。このメラミンフォームシート３を図示しない筆記面上で移動させることにより、マーカーのインキが除去される。
メラミンフォームは伸縮性のある発砲体であるため、このメラミンフォームシート３の厚さよりも狭い隙間を形成するように本体ケース１と内部ケース体２の対向部の寸法が設定されている。【００１３】本体ケース１と内部ケース体２は樹脂材により成型されており、内部ケース体２のメラミンフォームシート３と接する表面には、凸部４が複数本、本体ケース１の長手方向に直線的に設けられている。
メラミンフォーム材は、汚れを落とす効果が高いことで知られ、例えば食器洗浄のためのスポンジとして用いられている。
このメラミンフォームの効果を最大限用いるために、内部ケース２には凸部４が複数形成されている。
すなわち、筆記面に大きな面で接合するよりも、局所的に接合する方が力がその部分に集中し、筆記面のインクを強く引き剥がすことが可能となる。【００１４】図２に、第２の実施例を示す。
図２は、内部ケース体２の長手方向に垂直な方向から見た断面を示しているが、内部ケース体２の複数の凸部４の内、中央の凸部の高さが高く形成され、複数の凸部の頂上面で構成される面は、略湾曲面を形成するように構成されている。
具体的には、内部ケース体２の長手方向に設けられた直線状の凸部はそれぞれ同一の高さで平面を構成する。そして、中央部に設けられた凸部４はより前面に突出した位置に配置され、両端に設けられた凸部４は本体ケース１側により引き込まれた状態で配置される。【００１５】これは、イレイサーの使用者が手で本体ケース１を持ち、図示しない筆記面をこする動作において、メラミンフォームシートの表面が平面であるよりも、中央が盛り上がっている方が操作しやすいことによる。
また、このように湾曲させることで、夫々の凸部をより有効に用いることが可能となる。
即ち使用者が加える力の方向を変化させることで、夫々の凸部が局所的に筆記面に圧接されるようになり、マーカによる筆記インキを強く圧し、除去することが可能となる。【００１６】図３に、第３の実施例を示す。
この実施例では、本体ケース１と内部ケース２とがフック部５を有し、係合する構造となっている。
尚、このフック部５は、図示しないメラミンフォームシートを挟み込むため、隙間を構成するように、余裕をもった寸法で形成される。
従って、メラミンフォームシートを配置しない状態では、フック部５は簡単に外れるが、メラミンフォームシートを配置した場合は、メラミンフォームシートの伸縮力で、本体ケース１と内部ケース体２、及びメラミンフォームシートが固定される。
尚、本体ケース１に対して内部ケース体２を強く押して相対的な位置をずらすことで、フック部５は外れ、メラミンフォームシートを取外すことができる。【００１７】本発明は、上述の実施例に限定されるものではなく、例えば、本体ケース、及び内部ケース体の形状は異なるものであってもよい。
また、本体ケースや内部ケース体は、木材或いは金属で構成してもよい。
【産業上の利用可能性】
【００１８】本発明は、マーカーインクが消し難い筆記面を有する、電子黒板装置やホワイトボード或いは筆記ボード文具のイレイサーとして用いることが可能である。
【図面の簡単な説明】
【００１９】
【図１】図１は、本発明の第１実施例の形態に係る構成を示す正面断面図である。
【図２】図２は、本発明の第２実施例の形態に係る構成を示す正面断面図である。
【図３】図３は、本発明の第３実施例の形態に係る構成を示す斜視図である。
【符号の説明】
【００２０】１：本体ケース
２：内部ケース体
３：メラミンフォームシート
４：凸部
５：フック部
【図１】
2008273156.tif 000003
【図２】
2008273156.tif 000004
【図３】
2008273156.tif 000005